【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
スクリーンの巻き取り方向両端の少なくとも一方に、該スクリーン端部が挿入可能な開口部が形成され、かつ、該開口部を通して内部に位置したスクリーンの端部が該開口部を通して外部に移動することがないように該スクリーン端部を係止保持するための係止保持手段を備えた内部中空の筒体からなる支軸を備えさせ、
前記支軸内部から外部に向けて突出する螺子体が設けられ、前記係止保持手段のスクリーン幅方向の少なくとも一端部に取り付けられた連結部材と、前記支軸の端部に接当する接当面が形成されかつ前記螺子体の突出端に螺合可能な螺子部が形成された、前記支軸の長手方向両端の開口部を閉じるためのキャップとにより、スクリーンの幅方向一端を他端に対して該幅方向外方側へ引っ張ることにより該スクリーンに引張力を付与するための引っ張り手段を構成し、
前記キャップを前記螺子部を中心に回転操作して前記連結部材をスクリーン幅方向に移動させることにより、前記引張力が調節されることを特徴とする映写用スクリーン装置。
【請求項２】
前記スクリーンの巻き取り方向両端のそれぞれに、前記支軸を備えさせ、前記スクリーンの一端に備えた支軸に吊り下げ部材を備えさせ、前記吊り下げ部材にて吊り下げることによりほぼ水平姿勢で上側に位置する吊り下げ用支軸と、この吊り下げ用支軸の下方にほぼ水平姿勢で位置し、かつ、前記スクリーンの他端に備えた巻き取り用支軸とからなる請求項１記載の映写用スクリーン装置。
【請求項３】
前記キャップが、前記支軸の端部に外嵌するものである請求項１記載の映写用スクリーン装置。
【請求項４】
前記連結部材が、前記係止保持手段を挟持する板部及びこれら板部をキャップ側端同士で連結する連結部からなる金具と、該連結部に一端が固定された前記螺子体とからなり、前記キャップの接当面と前記連結部とが接当したときに、前記支軸の外周面よりも外側にある、前記キャップのスクリーン側端面が、前記スクリーンの幅方向端部に接当しないように、前記引っ張り手段を構成してなる請求項３記載の映写用スクリーン装置。
【手続補正２】
【補正対象書類名】明細書
【補正対象項目名】０００６
【補正方法】変更
【補正の内容】
【０００６】
本発明の映写用スクリーン装置は、前述の課題解決のために、スクリーンの巻き取り方向両端の少なくとも一方に、該スクリーン端部が挿入可能な開口部が形成され、かつ、該開口部を通して内部に位置したスクリーンの端部が該開口部を通して外部に移動することがないように該スクリーン端部を係止保持するための係止保持手段を備えた内部中空の筒体からなる支軸を備えさせ、前記支軸内部から外部に向けて突出する螺子体が設けられ、前記係止保持手段のスクリーン幅方向の少なくとも一端部に取り付けられた連結部材と、前記支軸の端部に接当する接当面が形成されかつ前記螺子体の突出端に螺合可能な螺子部が形成された、前記支軸の長手方向両端の開口部を閉じるためのキャップとにより、スクリーンの幅方向一端を他端に対して該幅方向外方側へ引っ張ることにより該スクリーンに引張力を付与するための引っ張り手段を構成し、前記キャップを前記螺子部を中心に回転操作して前記連結部材をスクリーン幅方向に移動させることにより、前記引張力が調節されることを特徴としている。
従って、スクリーンの幅方向一端を他端に対して幅方向外方側へ引っ張り手段にて引っ張って引張力を調節（変更）することができる構成であることから、気温変化によるスクリーンの伸びなどが発生した場合でも、所定の引張力をスクリーンに常に付与することができ、スクリーンに皺が発生することを確実に回避することができる。しかも、支軸内でスクリーンの端部を幅方向で張ることにより、支軸に張りを持たせることで、例えば図１８に示すように吊り下げ部材３にてスクリーン１を上下方向に吊り下げて使用する場合に、従来の構成では、スクリーン１の重量が上下の支軸４，２に加わることにより２本の支軸４，２が、図１８の実線で示すように２点鎖線で示す一直線の姿勢からスクリーン１の幅方向両端側ほど下方に垂れ下がった湾曲姿勢になることを抑制することができ、図１８に示すような皺Ｗが発生することを回避することができる。尚、図１８で示すように支軸４，２を上下に水平姿勢で配置している場合には、スクリーンの幅方向が左右方向になり、図１８とは反対に支軸４，２を左右に上下姿勢で配置している場合には、スクリーンの幅方向が上下方向となり、スクリーンの幅方向は、スクリーンの巻き取り方向と直交する方向になる。
【手続補正３】
【補正対象書類名】明細書
【補正対象項目名】０００８
【補正方法】変更
【補正の内容】
【０００８】
前記キャップが、前記支軸の端部に外嵌するものであると好ましい。
【手続補正４】
【補正対象書類名】明細書
【補正対象項目名】０００９
【補正方法】変更
【補正の内容】
【０００９】
前記連結部材が、前記係止保持手段を挟持する板部及びこれら板部をキャップ側端同士で連結する連結部からなる金具と、該連結部に一端が固定された前記螺子体とからなり、前記支軸の端部に外嵌するキャップの接当面と前記連結部とが接当したときに、前記支軸の外周面よりも外側にある、前記キャップのスクリーン側端面が、前記スクリーンの幅方向端部に接当しないように、前記引っ張り手段を構成してなると好ましい。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の映写用スクリーン装置によれば、スクリーンの巻き取り方向両端の少なくとも一方に、該スクリーン端部が挿入可能な開口部が形成され、かつ、該開口部を通して内部に位置したスクリーンの端部が該開口部を通して外部に移動することがないように該スクリーン端部を係止保持するための係止保持手段を備えた内部中空の筒体からなる支軸を備えさせ、前記支軸内部から外部に向けて突出する螺子体が設けられ、前記係止保持手段のスクリーン幅方向の少なくとも一端部に取り付けられた連結部材と、前記支軸の端部に接当する接当面が形成されかつ前記螺子体の突出端に螺合可能な螺子部が形成された、前記支軸の長手方向両端の開口部を閉じるためのキャップとにより、スクリーンの幅方向一端を他端に対して該幅方向外方側へ引っ張ることにより該スクリーンに引張力を付与するための引っ張り手段を構成し、前記キャップを前記螺子部を中心に回転操作して前記連結部材をスクリーン幅方向に移動させることにより、前記引張力が調節されるので、スクリーンの幅方向一端を他端に対して幅方向外方側へ引っ張って引張力を調節する引っ張り手段を支軸に設けるだけの簡素な構成で、気温変化によるスクリーンの伸びなどが発生した場合でも、所定の引張力をスクリーンに常に付与して、スクリーンに皺が発生することを確実に回避することができ、良好な映像を映し出すことができると共に組み立て作業面においても有利な映写用スクリーン装置を提供することができる。
しかも、スクリーンを上下方向に吊り下げて使用する場合に、支軸内でスクリーンの端部を（左右）幅方向で張ることにより、軽量化を図ることができながらも支軸に加わるスクリーンの重量にて支軸が湾曲変形することがなく、支軸の変形による皺の発生がなく、より一層良好に使用することができる商品価値の高いものにすることができる。
さらに、支軸の長手方向両端にそれぞれ開口される開口部を閉じるために本来的に備えさせるキャップに前記連結部材の螺子体に螺合可能な螺子部を形成して、前記連結部材及びキャップにより引っ張り手段を構成することができるため、支軸を大きく改造することなく、スクリーンに所定の引張力を付与することができ、組み立て作業面及びコスト面において有利になる。
その上、螺子体が支軸の内部から外部に突出しているので、支軸の外部に突出した突出端とキャップの螺子部との螺合を、螺子体の突出端を視認しながら組み立て作業を行うことができ、組み立て作業効率を高めることができる。
【手続補正８】
【補正対象書類名】明細書
【補正対象項目名】００１３
【補正方法】変更
【補正の内容】
【００１３】
また、前記スクリーンの巻き取り方向両端のそれぞれに、前記支軸を備えさせ、前記スクリーンの一端に備えた支軸に吊り下げ部材を備えさせ、前記吊り下げ部材にて吊り下げることによりほぼ水平姿勢で上側に位置する吊り下げ用支軸と、この吊り下げ用支軸の下方にほぼ水平姿勢で位置し、かつ、前記スクリーンの他端に備えた巻き取り用支軸とからなるものであると、特にスクリーンを吊り下げて上下姿勢で使用する場合に、前記と同様にスクリーンの重量が支軸に加わった場合でも、支軸が湾曲することがなく、皺の発生のない良好な状態で使用することができる映写用スクリーン装置に構成することができる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
さらに、前記キャップが、前記支軸の端部に外嵌するものであり、前記連結部材が、前記係止保持手段を挟持する板部及びこれら板部をキャップ側端同士で連結する連結部からなる金具と、該連結部に一端が固定された前記螺子体とからなり、前記キャップの接当面と前記連結部とが接当したときに、前記支軸の外周面よりも外側にある、前記キャップのスクリーン側端面が、前記スクリーンの幅方向端部に接当しないように、前記引っ張り手段を構成すると、キャップがスクリーンに接触することがなく、スクリーンを傷付けることがない。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】